(57)【要約】【課題】配光特性を改善した照明ランプを提供する。【解決手段】矩形状の基板１１の一面に発光素子１２が配置された複数の発光部１０と、前記複数の発光部１０が保持された保持部２０と、前記複数の発光部１０を覆った状態で、前記保持部２０に取り付けられた透光性のカバー３１とを備え、前記複数の発光部１０は、前記基板１１の前記一面と前記カバー３１の内面とを対向させた状態で周方向に並べられ、前記周方向に隣り合う２枚の基板１１の一面が前記内面に対して異なる角度をなしている。【選択図】図１
2019192523.tif 000002
【特許請求の範囲】
【請求項１】
基板の一面に発光素子が配置された複数の発光部と、
前記複数の発光部が保持された保持部と、
前記複数の発光部を覆った状態で、前記保持部に取り付けられた透光性のカバーと
を備え、
前記複数の発光部は、
前記基板の前記一面と前記カバーの内面とを対向させた状態で周方向に並べられ、前記周方向に隣り合う２枚の前記基板の前記一面が前記カバーの前記内面に対して異なる角度をなしている照明ランプ。
【請求項２】
前記周方向に隣り合う２枚の基板は、隣接する側部どうしが交差している請求項１に記載の照明ランプ。
【請求項３】
前記基板は、前記基板の端部を保持している請求項１又は請求項２に記載の照明ランプ。
【請求項４】
前記保持部は、前記基板の中央部を保持している請求項１から請求項３のいずれか一項に記載の照明ランプ。
【請求項５】
発光素子が搭載されるとともに、前記発光素子を外側に向けた状態で周方向に配置された複数の発光面
を備え、
前記複数の発光面は、
前記周方向と直交する放射方向に対して正の傾斜角度をなして配置されている第１の発光面と、
前記周方向と直交する放射方向に対して負の傾斜角度をなして配置されている第２の発光面と
を有する照明ランプ。
【請求項６】
前記複数の発光面は、
中心軸を取り囲むように配置されており、
前記正の傾斜角度で配置されている第１の発光面は、一端部から他端部に向かって前記中心軸に対して遠ざかるように配置され、
前記負の傾斜角度で配置されている第２の発光面は、一端部から他端部に向かって前記中心軸に対して近づくように配置されている請求項５に記載の照明ランプ。
【請求項７】
前記発光素子が収納されるとともに、内面が前記複数の発光面と対向している透光性のカバー
を備え、
前記正の傾斜角度で配置されている第１の発光面は、一端部から他端部に向かって前記カバーの前記内面に対して近づくように配置され、
前記負の傾斜角度で配置されている第２の発光面は、一端部から他端部に向かって前記カバーの前記内面に対して遠ざかるように配置されている請求項５又は請求項６に記載の照明ランプ。
【請求項８】
前記正の傾斜角度の絶対値と前記負の傾斜角度の絶対値とが等しい請求項５から請求項７のいずれか一項に記載の照明ランプ。
【請求項９】
前記第１の発光面と前記第２の発光面とは、周方向に隣接して配置されている請求項５から請求項８のいずれか一項に記載の照明ランプ。
【請求項１０】
請求項１から請求項９のいずれか一項に記載の照明ランプと、
照明器具とを備えた照明装置。
【請求項１１】
発光素子が搭載された複数の基板を、照明ランプの中心軸の周囲に配置する照明ランプの製造方法において、
隣り合う２枚基板を前記中心軸に対して異なる角度なすように配置する照明ランプの製造方法。
【発明の詳細な説明】
【技術分野】
【０００１】
本発明は、照明ランプ及び照明装置に関し、特に配光特性を改善する技術に関する。
【背景技術】
【０００２】
従来、光源素子としてＬＥＤ（発光ダイオード）が採用され、街路灯又は防犯灯に使用されるＨＩＤランプ（Ｈｉｇｈ  Ｉｎｔｅｎｓｉｔｙ  Ｄｉｓｃｈａｒｇｅ  ｌａｍｐ）に近い配光特性を目指した照明ランプが知られている（例えば特許文献１〜３参照）。
【先行技術文献】
【特許文献】
【０００３】
【特許文献１】特開２０１５−１２５８４９号公報
【特許文献２】特開２０１４−２１６２５９号公報
【特許文献３】特開２０００−２９４００２号公報
【発明の概要】
【発明が解決しようとする課題】
【０００４】
特許文献１には、４枚の光源支持体１４を備え、各光源支持体に９個のＬＥＤ素子１８が搭載され、合計３６個のＬＥＤ素子からの発光方向が水平方向であるＬＥＤランプが開示されている。しかしながら、特許文献１は光源（素子）からの発光方向が水平方向であり、特に上下方向に照度が低くなる領域が発生してしまう。
【０００５】
特許文献２には、配光角を十分に確保しつつ光学素子をコンパクト化することができ、光学素子の加工を容易に行える照明装置が開示されている。しかしながら、光源（素子）からの発光方向が垂直方向（上向き）であり、広い配光特性を得るために光を導光する部材又は拡散する部材を必要とし構造が複雑である。
【０００６】
特許文献３には、発光ダイオードを傾斜方向に向けて配置された発光体が開示されている。しかしながら、発光ダイオードからの発光方向が傾斜方向であり、照明ランプの取付角度（向き、方向）に制約を受ける。
【０００７】
既存のＨＩＤランプ（水銀ランプ）用器具を活用（流用）してＬＥＤランプを設置する場合は、ＨＩＤランプ（水銀ランプ）の配光を基準に設計されている器具とのマッチングを考慮することが望ましい。特に、ＬＥＤランプがＨＩＤランプ（水銀ランプ）と同様のランプ外形形状又はＨＩＤランプ（水銀ランプ）に近いランプ外形形状であることが望ましく、ＨＩＤランプ（水銀ランプ）と同様のランプ配光特性であることが望ましい。
【０００８】
本発明は、配光特性を改善した照明ランプを提供することを目的とする。
【課題を解決するための手段】
【０００９】
この発明に係る照明ランプは、
基板の一面に発光素子が配置された複数の発光部と、
前記複数の発光部が保持された保持部と、
前記複数の発光部を覆った状態で、前記保持部に取り付けられた透光性のカバーと
を備え、
前記複数の発光部は、
前記基板の前記一面と前記カバーの内面とを対向させた状態で周方向に並べられ、前記周方向に隣り合う２枚の基板の一面が前記内面に対して異なる角度をなしている。
【発明の効果】
【００１０】
この発明によれば、周方向に隣り合う基板の一面がカバーの内面に対して異なる角度なしているので、配光特性を向上することができる。
【図面の簡単な説明】
【００１１】
【図１】実施の形態１における照明ランプ１００の斜視図である。
【図２】実施の形態１における照明ランプ１００の外観図（６面図）である。
【図３】実施の形態１における照明ランプ１００の要部を示す断面図である。
【図４】実施の形態１における発光部１０の斜視図である。
【図５】実施の形態１における基板支持部品としての保持部２０を説明する図である。
【図６】実施の形態１における発光部１０の外観図（３面図）である。
【図７】ＬＥＤパッケージの一般的な指向特性を説明する図である。
【図８】基板１１に実装されたＬＥＤの指向特性を説明する図である。
【図９】基板１１を傾けて配置した場合の指向特性を説明する図である。
【図１０】実施の形態１における照明ランプ１００の配光特性を説明する図である。
【図１１】比較例としてＬＥＤ基板を垂直に配置した場合の指向特性を説明する図である。
【図１２】比較例として従来のＬＥＤランプの配光特性を説明する図である。
【図１３】実施の形態１における変形例としての発光部１０の外観図（３面図）である。
【図１４】実施の形態２における照明ランプ１００ｂの斜視図である。
【図１５】実施の形態２における照明ランプ１００ｂの部分拡大図である。
【図１６】実施の形態３における照明ランプ１００ｃの斜視図である。
【図１７】実施の形態３における発光部１０ｃの斜視図である。
【図１８】実施の形態３における基板支持部品としての保持部２０ｃを説明する図である。
【図１９】実施の形態４における基板１１の変形例を説明する図である。
【図２０】実施の形態５における発光部１０ｇを説明する図である。
【図２１】実施の形態６における光源ユニット４０ｈ、光源ユニット４０ｉ、及び、光源ユニット４０ｊを説明する図である。
【図２２】実施の形態７における光源ユニット４０ｋを説明する図である。
【図２３】実施の形態８における光源ユニット４０ｎを説明する図である。
【図２４】実施の形態９における光源ユニット４０ｐを説明する図である。
【図２５】実施の形態１０における光源ユニット４０ｒ及びその他の例を説明する図である。
【図２６】実施の形態１１における道路用照明装置を説明する図である。
【図２７】実施の形態１１における街路用照明装置を説明する図である。
【図２８】実施の形態１１における高天井用照明装置を説明する図である。
【発明を実施するための形態】
【００１２】
実施の形態１．
＊＊＊構成の説明＊＊＊
図１は、実施の形態１における照明ランプ１００の斜視図である。
図２は、実施の形態１における照明ランプ１００の外観図（６面図）である。
図３は、実施の形態１における照明ランプ１００の要部を示す断面図である。
図４は、実施の形態１における発光部１０の斜視図である。
図５は、実施の形態１における基板支持部品としての保持部２０を説明する図である。  図６は、発光部１０の外観図（３面図）である。
【００１３】
＜＜＜照明ランプ１００＞＞＞
図１の照明ランプ１００は、照明装置のソケットに物理的に取り付けられ、照明ランプ１００の光源を点灯させる点灯装置に電気的に接続され点灯する。
照明ランプ１００は、中心軸Ｊを有する。
照明ランプ１００は、矢印で示す照射方向Ｚを有する。
照射方向Ｚは、中心軸Ｊと直交する３６０度範囲の放射方向である。
照射方向Ｚは、周方向と直交する放射方向である。
照射方向Ｚとは、照明ランプ１００が明るくすることが期待されている方向あるいは照明ランプ１００が明るくすべき方向をいう。
【００１４】
照明ランプ１００は、光源ユニット４０と外郭部３０を有する。
光源ユニット４０は、照明ランプ１００の光源である。
外郭部３０は、照明ランプ１００の筐体である。
図４の光源ユニット４０の中心軸Ｈと図３の外郭部３０の中心軸Ｇと図１の照明ランプ１００の中心軸Ｊとは一致している。
【００１５】
＜＜＜光源ユニット４０＞＞＞
光源ユニット４０は、複数の発光部１０と保持部２０とを有する。
発光部１０は、照明ランプ１００の光源である。
保持部２０は、発光部１０を固定する台座である。
【００１６】
＜＜＜発光部１０＞＞＞
発光部１０は、基板１１と発光素子１２を有している。
発光部１０は、基板１１に複数の発光素子１２が配列実装され、その他の電子部品が実装されている。
【００１７】
＜＜基板１１＞＞
基板１１は、アルミニウム製の金属基板に絶縁層及び回路層が形成された回路基板である。基板１１には、発光素子１２、その他の電子部品が実装される。
基板１１は、銅製、鉄製等の他の金属製でもよいし、樹脂製、セラミック製等でもよい。
【００１８】
複数の基板１１は、口金３５に通電可能に接続されている配線によって電源と接続される。
【００１９】
図６に示すように、基板１１の形状は、長尺の長方形（矩形）になっている。
基板１１は、表面となる第１面１１１と裏面となる第２面１１２とを有する。
第１面１１１は、発光素子１２を実装した実装面（一面）であり、発光面である。
矩形状の基板１１の実装面（一面）に複数の発光素子１２が直線状に配置されている。
第２面１１２は、発光素子１２を実装していない非実装面（他面）であるが、発光素子１２を実装してもよい。
基板１１は、下端部１１３と上端部１１４とを有する。
下端部１１３は、口金３５側の端部（一端部）であり、保持部２０の基板差込部２１１に差し込まれる。
上端部１１４は、カバー端部３２１側の端部（他端部）である。
【００２０】
基板１１は、２枚以上の複数配置されている。
基板１１は、照明ランプ１００の中心軸Ｊを取り囲むように配置されている。
基板１１は、照明ランプ１００の中心軸Ｊに対して傾斜して配置されている。
基板１１は、照明ランプ１００のカバー３１に対して傾斜して配置されている。
本実施の形態では、６枚の基板１１が第１面１１１を外側にして周方向に配置されている。
【００２１】
複数の基板１１は、中心軸Ｊに対して傾斜して配置されている。
周方向に配置された隣り合う２枚の基板は、長尺の基板１１の側部が中央部で交差しており、Ｘ形状又は略Ｘ形状に配置されている。ここで、中央部とは、長尺の基板１１の下短部１１３と上端部１１４との間の部分であり、下短部１１３と上端部１１４とを除いた部分をさす。
一つ置きに配置された３枚の基板は、三脚形状あるいは逆三脚形状に配置されている。
二つ置きに配置された２枚の基板は、平行に配置され、平行な１対の基板対を形成している。
【００２２】
＜＜発光素子１２＞＞
発光素子１２は、ＬＥＤ（発光ダイオード）である。
発光素子１２は、チップオンボード（ＣＯＢ）タイプの素子である。
発光素子１２は、リード線を基板１１に貫通させて固定されている発光素子ではない。
発光素子１２は、接着剤、又は、ネジにより、基板１１に第１面１１１に固定されている。
発光素子１２が発光する光の中心軸は、基板１１に第１面１１１と直交している。
【００２３】
＜＜保持部２０＞＞
保持部２０は、基板１１を支持し基板１１を固定する基板支持部品である。
保持部２０は、絶縁性を有し、連結部３３に固定される。
保持部２０は、円柱形状の保持本体部２１を有する。
保持本体部２１は、絶縁性を有し、基板１１を保持する台座となる。
複数の発光部１０は、台座となる保持部２０に保持されている。
【００２４】
＜基板差込部２１１＞
図５に示すように、保持本体部２１は、基板差込部２１１を有する。
基板差込部２１１は、有底溝であり、基板１１の下端部１１３が差し込まれる。
基板差込部２１１は、保持本体部２１の表面から直交している凹部ではない。
基板差込部２１１は、基板１１を傾斜させるために、表面から直交していない角度で形成されている。
傾斜角度は、中心軸Ｊに対して０度超９０度未満の範囲であればよい。
【００２５】
図５の（ｂ）に示すように、保持本体部２１は、同形状の６個の基板差込部２１１を有する。
３個の基板差込部２１１は、１２０度の均等間隔で半径Ｒ１の円の接線に形成されている。
３個の基板差込部２１１は、１２０度の均等間隔で半径Ｒ２の円の接線に形成されている。
６個の基板差込部２１１の中心から中心軸Ｊまでの６本の中心線分のうち、隣同士の２本の線分なす中心角Ｙの角度は６０度である。
半径Ｒ１の円の接線に形成された基板差込部２１１に固定された基板１１と半径Ｒ２の円の接線に形成された基板差込部２１１に固定された基板１１とが隣同士に配置される２枚の基板１１となる。
隣同士に配置された２枚の基板は、短辺が１２０度で交わるように配置される。
【００２６】
図５の（ｃ）に示すように、６個の基板差込部２１１は、中心軸Ｊに対して傾斜角度が全て同じである。
基板差込部２１１は、保持本体部２１の表面に対して垂直に形成されているのではなく、図５の（ｃ）のように傾斜している。
角度θ１＋角度θ２＝１８０度
角度θ１−９０度＝Ｘ度
９０度−角度θ２＝Ｘ度
【００２７】
基板差込部２１１の傾斜により、基板１１は、中心軸Ｊに対して＋Ｘ度と−Ｘ度の傾斜角度を持って配置される。
図５の（ｃ）において、光源ユニット４０の保持本体部２１の外側にある基板１１は、中心軸Ｊに対して第１面１１１が−Ｘ度の傾斜角度で基板差込部２１１に固定される。
一方、光源ユニット４０の保持本体部２１の内側にある基板１１は、中心軸Ｊに対して第１面１１１が＋Ｘ度の傾斜角度で基板差込部２１１に固定され、外側にある基板１１と内側にある基板１１とは、平行に配置される。
ここで、プラスの角度は、保持本体部２１の表面に対して第１面１１１がうつぶせ状態になる角度をいうものとし、マイナスの角度は、保持本体部２１の表面に対して第１面１１１があおむけ状態になる角度をいうものとする。＋Ｘ度はプラスの角度の一例であり、−Ｘ度はマイナスの角度の一例である。
【００２８】
前述したとおり、基板１１の第１面１１１は、発光素子１２が搭載された複数の発光面である。
第１面１１１が＋Ｘ度の傾斜角度と−Ｘ度の傾斜角度とで配置されているということは、照射方向Ｚに対して正の傾斜角度で配置されている第１の発光面と、照明ランプ１００が照射方向Ｚに対して負の傾斜角度で配置されている第２の発光面とが存在することを意味する。
正の傾斜角度で配置されている発光面は、下端部１１３から上端部１１４に向かって中心軸Ｊに対して遠ざかるように配置され、負の傾斜角度−Ｘ度で配置されている発光面は、下端部１１３から上端部１１４に向かって中心軸Ｊに対して近づくように配置されている。
前述したとおり、発光素子１２が放射する光の中心軸は、基板１１の発光面と直交している。
照射方向Ｚに対して正又は負の傾斜角度で配置されている発光面が存在するということは、発光素子１２の光の中心軸が照射方向Ｚと同じではなく、発光素子１２の光の中心軸が照射方向Ｚに対して正又は負の方向に傾斜していることを意味する。
【００２９】
図５の（ｃ）において、正の傾斜角度の絶対値と負の傾斜角度の絶対値とが等しく、外側に固定された基板１１と内側に固定された基板１１とは、光源ユニット４０において二つ置きに配置された２枚の平行な基板対となる。
【００３０】
保持本体部２１は、電線挿通孔２１２を有する。
口電線挿通孔２１２は、口金３５を経由して発光部１０に電力を供給する配線材５１が給電線対として挿通される貫通孔である。
【００３１】
＜＜＜外郭部３０＞＞＞
外郭部３０は、カバー３１と連結部３３と口金３５とを有している。
外郭部３０は、発光部１０の発光面を覆う透光性のカバー３１を有し、発光部１０を内部に収納している。
【００３２】
＜＜カバー３１＞＞
カバー３１は、バルブと呼ばれる。
カバー３１は、ガラス製の場合、ガラスバルブとも呼ばれる。
カバー３１は、樹脂製でもよく、樹脂製の場合は、耐熱性、耐候性を有することが望ましい。
【００３３】
カバー３１には、発光部１０が挿入されている。
カバー３１の中心軸Ｇと照明ランプ１００の中心軸Ｊとが一致するように収納されている。
カバー３１は、複数の発光部１０を覆った状態で連結部３３に取り付けられている。
複数の発光部１０は、基板１１の実装面（一面）とカバー３１の内面とを対向させた状態で、半径が異なる円周に沿って周方向に並べられ、隣接した基板１１の実装面（一面）がカバー３１の内面に対して異なる角度なしている。
【００３４】
カバー３１は、カバー本体部３１１とカバー端部３２１とを有する。
【００３５】
＜カバー本体部３１１＞
カバー本体部３１１は、円筒状である。
カバー本体部３１１は、外周部３１２と内周部３１３と開口端部３１５とを有する。
外周部３１２は、カバー本体部３１１の外側の面である。
内周部３１３は、カバー本体部３１１の内側の面である。
開口端部３１５は、カバー３１の端部に形成された円形の開口部であり、連結部３３に固定される。
外球部３２２は、ドーム状であり、カバー本体部３１１と一体に形成されている。
【００３６】
＜カバー端部３２１＞
カバー端部３２１は、外球部３２２と内球部３２３とを有する。
外球部３２２は、カバー端部３２１の外側の面である。
内球部３２３は、カバー端部３２１の内側の面である。
【００３７】
＜＜連結部３３＞＞
【００３８】
連結部３３は、カバー３１を固定する。
連結部３３は、連結本体部３３１と絶縁部３４１とを有する。
【００３９】
＜連結本体部３３１＞
連結本体部３３１は、円筒状であり、カバー３１を固定するハウジングとなる。
連結本体部３３１の材料の好適な具体例は、アルミニウムであるが、他の材料でもよい。
連結本体部３３１は、ヒートシンクとしても機能し、発光部１０が発する動作熱を放散させる。
【００４０】
連結本体部３３１は、カバー３１の開口端部３１５を固定できる機構を有する。
連結本体部３３１は、カバー３１の開口端部３１５をネジ留めで固定する。
あるいは、連結本体部３３１は、カバー３１の開口端部３１５を接着材又はプッシュファスナー等で固定してもよい。
連結本体部３３１は、固定部３３２と連結基部３３３と電線挿通孔３３４とを有する。
固定部３３２は、開口端部３１５を固定する帯状の環状部である。
連結基部３３３は、円柱状の基部である。
連結基部３３３は、外縁が固定部３３２と一体形成されている。
連結基部３３３は、中央部に保持本体部２１を固定する。
電線挿通孔３３４は、口金３５を経由して発光部１０に電力を供給する配線材５１が挿通される貫通孔である。
【００４１】
＜絶縁部３４１＞
絶縁部３４１は、絶縁性を有し、連結部３３と口金３５とを電気的に絶縁する。
絶縁部３４１は、口金３５と螺合し、口金３５を固定する。
絶縁部３４１は、電線挿通孔３３４を有する。
電線挿通孔３３４は、口金３５を経由して発光部１０に電力を供給する配線材５１が挿通される貫通孔である。
【００４２】
＜＜口金３５＞＞
口金３５は、シェル部３５１とアイレット部３５２とを有する。
【００４３】
＊＊＊照明ランプ１００の製造方法の説明＊＊＊
以下、発光素子１２が搭載された複数の基板１１を照明ランプ１００の中心軸Ｊの周囲に配置した照明ランプ１００の製造方法について説明する。
以下では、６個の発光部１０が存在する照明ランプ１００の製造方法について説明する。
【００４４】
＜＜ステップＳ１０：光源ユニット４０の製造工程＞＞
以下の工程により、光源ユニット４０を製造する。
【００４５】
＜ステップＳ１１：発光部１０の製造工程＞
前述した基板１１と発光素子１２とを有する発光部１０を６個製造する。
６個の基板１１に配線材を接続する。
【００４６】
＜ステップＳ１２：保持部２０の製造工程＞
基板差込部２１１を形成した保持部２０を製造する。
その際、基板差込部２１１を６個形成する。
基板差込部２１１の中心軸Ｊに対する傾斜角度は６個ともすべて等しくＸ度とする。
３個の基板差込部２１１は、保持部２０の外周に１２０度間隔で等間隔に形成する。
３個の基板差込部２１１は、保持部２０の内周に１２０度間隔で等間隔に形成する。
【００４７】
＜ステップＳ１３：光源ユニット４０の組み立て工程＞
保持部２０の電線挿通孔２１２に配線材５１を差し込み、さらに、基板差込部２１１に、発光部１０の一端部を差し込む。
外周に形成された基板差込部２１１に下端部１１３が差し込まれた基板１１は、カバー端部３２１に向かうにしたがって次第に中心軸Ｊに近づくように配置する。すなわち、３枚の基板１１は、一端部から他端部に向かって中心軸Ｊに対して近づくように配置される。
内周に形成された基板差込部２１１に下端部１１３が差し込まれた基板１１は、カバー端部３２１に向かうにしたがって次第に中心軸Ｊから遠ざかるように配置する。すなわち、３枚の基板１１は、一端部から他端部に向かって中心軸Ｊに対して遠ざかるように配置される。
このように、隣り合う２枚の基板１１のうち、一方の基板１１はカバー端部３２１に向かうにしたがって次第に中心軸Ｊに近づくように配置し、他方の基板１１はカバー端部３２１に向かうにしたがって次第に中心軸Ｊから遠ざかるように配置する。
隣り合う２枚の基板１１の短辺の中央部から中心軸Ｊまでの中心線分の長さ（半径方向の長さ）は、基板１１の長辺の中央部で等しくなり、隣り合う２枚の基板１１の側部は、基板１１の長辺の中央部で交差する。
【００４８】
中心軸Ｊと平行な方向から見た平面視では、外周に形成された基板差込部２１１に下端部１１３が差し込まれた基板１１の上端部１１４は、内周に形成された基板差込部２１１の位置に配置される。
中心軸Ｊと平行な方向から見た平面視では、内周に形成された基板差込部２１１に下端部１１３が差し込まれた基板１１の下端部１１３は、外周に形成された基板差込部２１１の位置に配置される。
この結果、外周に形成された基板差込部２１１に差し込んだ３枚の基板１１と内周に形成された基板差込部２１１に差し込んだ３枚の基板１１とにより平行な３対の基板対を形成する。
そして、隣り合う２枚の基板１１の一方の発光面と中心軸Ｊとがなす角度は＋Ｘ度となり、他方の発光面と中心軸Ｊとがなす角度は−Ｘ度となる。
これで、光源ユニット４０の製造が終了する。
【００４９】
＜＜ステップＳ２０：連結部３３の製造工程＞＞
固定部３３２と連結基部３３３とをアルミニウムで一体に成型して、連結本体部３３１を製造する。
さらに、連結基部３３３に絶縁部３４１を固定する。
【００５０】
＜＜ステップＳ３０：照明ランプ１００の組み立て工程＞＞
連結部３３の電線挿通孔３３４と電線挿通孔３４２とに配線材５１を挿入し、光源ユニット４０の保持部２０を連結部３３に固定する。
カバー３１の開口端部３１５から光源ユニット４０を挿入し、カバー３１の開口端部３１５を連結本体部３３１の固定部３３２の内側嵌め込み、カバー３１の開口端部３１５を連結本体部３３１の固定部３３２に固定する。
さらに、配線材５１を口金３５に接続し、口金３５を絶縁部３４１にねじ込んで固定する。
これで、照明ランプ１００の製造が終了する。
【００５１】
＊＊＊実施の形態１の特徴＊＊＊
本実施の形態の照明ランプ１００の特徴は以下のとおりである。
１．発光素子１２を含む発光部１０を有すること。
２．発光部１０は板状であること。
３．台座となる保持部２０には複数の発光部１０が配置されること。
４．複数の発光部１０を覆う透光性のカバー３１を有すること。
５．複数の発光部１０はカバー３１の外周方向を向いていること。
６．複数の発光部１０は、傾斜していること。
７．複数の発光部１０の長さ寸法の大きさ（長短）は、任意であること。
８．複数の発光部１０は、カバー３１と離間して配置されること。
９．複数の発光部１０は、台座となる保持部２０とこれ以外の保持部品もしくはカバーに形成された保持部によって保持されていること（傾斜角度が維持されていること）。
１０．台座となる保持部２０とこれ以外の保持部品もしくはカバーに形成された保持部は、放熱性、伝熱性を有すること。
１１．発光素子１２を点灯させる点灯電力を外部から受電するための受電端となる口金３５を備えること。
１２．口金３５から発光素子１２が実装された基板１１に点灯電力を供給する配線材５１を備えること。
【００５２】
本実施の形態の照明ランプ１００は、中心軸Ｊの周囲に光を照射する照明ランプである。
本実施の形態の照明ランプ１００は、発光素子１２が搭載された基板１１を有する複数の発光部１０を備えている。
発光部１０の基板１１の第１面１１１（発光面）は、隣の発光部１０の基板１１の第１面１１１（発光面）の中心軸Ｊに対する角度と異なる角度で配置されていることが特徴である。
【００５３】
本実施の形態の照明ランプ１００は、発光素子１２が搭載された複数の発光面を備えている。
複数の発光面は、照明ランプ１００が光を照射する照射方向Ｚに対して正の傾斜角度で配置されている発光面と、照明ランプ１００が光を照射する照射方向Ｚに対して負の傾斜角度で配置されている発光面とを有する。
【００５４】
正の傾斜角度で配置されている発光面は、一端部から他端部に向かって中心軸Ｊに対して遠ざかるように配置されている。
負の傾斜角度で配置されている発光面は、一端部から他端部に向かって中心軸Ｊに対して近づくように配置されている。
正の傾斜角度の絶対値と負の傾斜角度の絶対値とが等しい。
【００５５】
本実施の形態の照明ランプ１００は、中心軸Ｊ又はカバー３１の内面に対して傾いている発光面のみで光源ユニット４０が構成されている。
本実施の形態の照明ランプ１００は、中心軸Ｊ又はカバー３１の内面と平行な基板１１存在せず、中心軸Ｊ又はカバー３１の内面に対して基板１１の発光面が全て傾いている。
本実施の形態の照明ランプ１００は、中心軸Ｊ又はカバー３１の内面に対して傾いている発光面のみで光源ユニット４０が構成されている。
本実施の形態の照明ランプ１００は、照射方向Ｚに対して光の中心軸が一致している発光素子１２は存在せず、照射方向Ｚに対して発光素子１２の光の中心軸が全て傾いている。
本実施の形態の照明ランプ１００は、照射方向Ｚに対して光の中心軸が傾いている発光素子１２のみで光源ユニット４０が構成されている。
【００５６】
本実施の形態の照明ランプ１００の製造方法は、複数の基板１１を配置するにあたり、隣同士の基板１１を照明ランプ１００の中心軸Ｊに対して異なる角度で配置することが特徴である。
【００５７】
＊＊＊実施の形態１の効果の説明＊＊＊
【００５８】
図７は、ＬＥＤパッケージの一般的な指向特性を説明する図である。
図７において、矢印の方向は、ＬＥＤが放射する光の中心軸である。
図７において、点線で示す２本の線分の内角は配光角であり、１２０度である。
配光角は、中心軸の照度を１とした場合、照度が０．５以上になる角度である。
以下に説明する発光部１０は、図７に示す指向特性を有する発光素子１２を搭載しているものとする。
【００５９】
図８は、発光部１０の基板１１に実装されたＬＥＤの指向特性を説明する図である。
点線の矢印は、配光角を示している。
【００６０】
図９は、基板１１を傾けて配置した場合の指向特性を説明する図である。
図９では、図面の右方向に光を照射する２個の発光部１０を示しているが、図面の左方向に光を照射する２個の発光部１０が存在しているものとする。
【００６１】
図１０は、実施の形態１における照明ランプ１００の配光特性を説明する図である。
図１０の０度から１８０度の直線は、照明ランプ１００の中心軸Ｊである。
発光部１０を図９に示すようにＸ型に交差させた場合の配光特性は、図１１のように略楕円形状になる。
【００６２】
図１１は、比較例として基板１１を垂直に配置した場合の指向特性を説明する図である。
図１２は、比較例として従来のＬＥＤランプの配光特性を説明する図である。
発光部１０を図１１に示すように平行に配置した場合の配光特性は、図１２のようにメガネ形状になる。
【００６３】
図１０を図１２との配光特性を比較すると、図１０の方が、０度と１８０度との方向に明るさが増している。すなわち、本実施の形態のように、発光部１０をＸ型に交差させた場合、照明ランプ１００の中心軸Ｊの方向の照度が増加する。
【００６４】
本実施の形態によれば、従来のランプ形状から逸脱することなくＨＩＤランプ（水銀ランプ）と同等の配光のＬＥＤランプをコストを増加させることなく提供することができる。
【００６５】
＊＊＊変形例の説明＊＊＊
図１３は、発光部１０ａの基板１１の外観図（３面図）である。
図１３の発光素子１２ａは、表面実装部品（ＳＭＤ）タイプのＬＥＤを使用している。
【００６６】
また、本実施の形態では、発光素子１２にＬＥＤ（発光ダイオード）を使用した例を示しているが、発光素子１２は、発光ダイオード、レーザダイオード、有機ＥＬ等の他の素子が用いられてもよい。
【００６７】
本実施の形態では、連結本体部３３１がアルミニウム等の導電材料なので、絶縁性の樹脂等の絶縁部３４１を追加して、連結本体部３３１と口金３５とを電気的に絶縁する。
しかし、固定部３３２と連結基部３３３と絶縁部３４１とを絶縁性樹脂で製造する場合は、固定部３３２と連結基部３３３と絶縁部３４１とを絶縁性樹脂で一体成型すればよい。
【００６８】
本実施の形態では、保持部２０と連結部３３とが別部品であったが、保持部２０と連結部３３とが同一材料である場合、保持部２０と連結部３３とで一体成型すればよい。保持部２０と連結部３３とで一体成型した部品は基板支持部品となる。
【００６９】
本実施の形態では、保持部２０が基板１１の端部を差し込んで基板１１を固定していたが、基板１１の端部を角度θ１又は角度θ２の角度で折り曲げて、折り曲げた端部を保持部２０の表面にネジ留め又は接着してもよい。
【００７０】
配光特性を考慮した場合、基板支持部品となる保持部２０と連結部３３とは、ガラス又は透明樹脂等で製造し、透明であることが望ましい。
【００７１】
発光部１０の数は、４個以上であればよく、６個、８個、１０個、１２個が好適である。
【００７２】
基板１１の裏面となる第２面１１２を反射面にして、基板１１の裏面に当たる光を反射させるようにしてもよい。
基板１１の下端部１１３を保持部２０により固定するとともに、基板１１の上端部１１４同士を留め具により固定してもよい。
【００７３】
基板１１には、１個の発光素子１２ではなく、複数の発光素子１２を搭載してもよい。
基板１１には、複数のＬＥＤではなく、１個のＬＥＤのみを搭載してもよい。
基板１１には、１個以上のＬＥＤが配列されて搭載されていればよい。
【００７４】
発光部１０自体にカバーがある場合は、カバー３１はなくてもよい。
カバー３１の形状は、円筒形に限らず、多角柱、楕円柱でもよい。
カバー３１の形状は、柱形状に限らず、山形、ドーム型、ピラミッド型、お椀型でもよい。
【００７５】
実施の形態２．
この実施の形態では、前述した実施の形態と異なる点について説明する。
＊＊＊構成の説明＊＊＊
図１４は、実施の形態２における照明ランプ１００ｂの斜視図である。
図１５は、実施の形態２における照明ランプ１００ｂの部分拡大図である。
実施の形態１では、ハウジングとなる連結部３３は別部品となっているが、図１４，図１５に示すように、連結部３３は必ずしも必要ではなく、ガラスバルブと一体となっていてもよい。
【００７６】
外郭部３０ｂは、カバー３１ｂを有する。
カバー３１ｂは、縮径部３１４を有する。
縮径部３１４は、透明である。
縮径部３１４は、カバー端部３２１と同様に、半球形状をしているが、半球中央天部には口金３５に螺合する絶縁部３４１がある。
縮径部３１４は、カバー本体部３１１と一体に形成される。
縮径部３１４の一端は、カバー本体部３１１ｂと同一径を有し、カバー本体部３１１と一体化される。
縮径部３１４の他端は、電線挿通孔を有する絶縁部３４１があり、絶縁部３４１の外周は口金３５に螺合する。
保持部２０ｂは、保持本体部２１と支持脚２２とを有する。
保持本体部２１は、支持脚２２に固定されている。
支持脚２２は、保持本体部２１を支持している。
保持本体部２１には、電線挿通孔２１２が形成され、支持脚２２には電線挿通孔２２１が形成されている。
【００７７】
＊＊＊照明ランプ１００ｂの製造方法の説明＊＊＊
以下では、保持本体部２１と支持脚２２とが別部品である場合について、前述した実施の形態と異なる点について説明する。
【００７８】
＜＜ステップＳ２５：縮径部３１４の製造工程＞＞
カバー３１ｂと同一材料で縮径部３１４を形成する。
口金３５に螺合する絶縁部３４１には電線挿通孔３１７を形成する。
【００７９】
＜＜ステップＳ２６：支持脚２２の製造工程＞＞
カバー３１ｂと同一材料で支持脚２２を形成する。
その際、支持脚２２の中央には、電線挿通孔２２１を形成する。
支持脚２２は、パイプ形の円筒形状になる。
【００８０】
＜＜ステップＳ３０：照明ランプ１００ｂの組み立て工程＞＞
支持脚２２の一端を縮径部３１４の絶縁部３４１に固定する。
支持脚２２と縮径部３１４の電線挿通孔に配線材５１を挿入し、光源ユニット４０の保持部２０を支持脚２２に固定する。
カバー３１の開口端部３１５から光源ユニット４０を挿入し、縮径部３１４とカバー本体部３１１とを溶着又は接着して、縮径部３１４をカバー本体部３１１に固定する。
さらに、配線材５１を口金３５に接続し、口金３５を絶縁部３４１にねじ込んで固定する。
これで、照明ランプ１００ｂの製造が終了する。
【００８１】
＊＊＊実施の形態２の効果の説明＊＊＊
実施の形態２によれば、縮径部３１４が透明なので、受電端である口金３５の方向への配光特性が改善される。
【００８２】
＊＊＊変形例の説明＊＊＊
保持本体部２１と支持脚２２と縮径部３１４とが同一材料である場合は、保持本体部２１と支持脚２２と縮径部３１４との少なくともいずれか２部品又は３を一体化して形成してもよい。
【００８３】
支持脚２２は、配線材５１が封止されたステムでもよい。ステムの場合は、封止された配線材５１と基板１１からの配線材５１とを接続すればよい。
また、保持本体部２１は、複数の支持脚２２に固定されてもよい。この場合、電線挿通孔２２１は支持脚２２のいずれか１つに形成されてもよいし複数に形成されてもよい。
【００８４】
実施の形態３．
この実施の形態では、前述した実施の形態と異なる点について説明する。
図１６は、実施の形態３における照明ランプ１００ｃの斜視図である。
図１７は、実施の形態３における光源ユニット４０ｃの斜視図である。
図１８は、実施の形態３における基板支持部品としての保持部２０ｃを説明する図である。
【００８５】
実施の形態１では、基板支持部品は、基板１１の端部についているが、図１６と図１７に示すように、保持部２０ｃは、基板１１の中央部又は中央部付近の位置に配置してもよい。
【００８６】
保持部２０ｃは、保持本体部２１ｃと支持脚２２ｃとを有する。
基板支持部品としての保持部２０ｃは、透明のガラス又は透明な樹脂等であることが望ましい。
【００８７】
図１８に示すように、保持部２０ｃは、基板差込部２１１ｃを有する。
基板差込部２１１ｃは、Ｔ字形の貫通孔であり、基板１１が挿通される基板貫通孔である。
基板差込部２１１ｃは、基板１１が差し込まれて基板１１の中央部が支持される孔である。
基板差込部２１１ｃは、すべて同一半径の位置に形成されている。
基板差込部２１１ｃは、保持本体部２１ｃの表面に対して垂直に形成されているのではなく、図５の（ｃ）と同様に、角度θ１で傾斜している。
この角度θ１の傾斜により、基板１１の第１面１１１は、中心軸Ｊに対してＸ度又は−Ｘ度の傾斜角度を持って配置される。
【００８８】
支持脚２２ｃは、口金３５から保持本体部２１ｃまで伸びたパイプ状の脚である。
保持部２０ｃの基板差込部２１１ｃに基板１１を挿通し、基板１１の中央部を基板差込部２１１ｃに接着固定することにより、基板１１の第１面１１１は、中心軸Ｊに対して＋Ｘ度又は−Ｘ度の傾斜角度を持って固定される。
【００８９】
保持部２０ｃは、中央部付近以外の位置に配置してもよい。
保持部２０ｃを中央部付近以外の位置に配置する場合、基板差込部２１１ｃは、図５のように、交互に半径の異なる位置に形成される。
【００９０】
＊＊＊実施の形態３の効果の説明＊＊＊
実施の形態３によれば、基板１１が、基板１１の長辺の中央部又は中央部付近で固定されるので、口金側への配光を改善することができる。
【００９１】
実施の形態４．
この実施の形態では、前述した実施の形態と異なる点について説明する。
前述した実施の形態では、基板１１の形状は長方形（矩形）になっているが、基板１１の形状は他の形状でもよい。
【００９２】
図１９の（ａ）は、発光部１０ｄの基板１１ｄの形状を台形にした場合を示している。
基板１１ｄの形状を台形にすれば、隣の基板１１ｄの発光素子１２からの光を基板１１ｄの第２面１１２によって反射してしまう可能性が減少する。
【００９３】
図１９の（ｂ）は、発光部１０ｅの基板１１ｅの形状を長尺の六角形にした場合を示している。
基板１１ｅの形状を長尺の六角形にすれば、隣の基板１１ｅの発光素子１２からの光を基板１１ｅの第２面１１２によって反射してしまう可能性がさらに減少する。
図示しないが、基板ｅの形状は、三角形、釣鐘形、楕円形、山形、又は、その他の多角形でもよい。
【００９４】
図１９の（ｃ）は、発光部１０ｆの基板１１ｆの両側の側部の中央部に凹形状の切欠き１１５を形成した場合を示している。
図１９の（ｃ）は、基板１１ｆが交差して接触干渉する部分を凹形状にしたものである。
基板１１ｆの側部の中央部に凹形状の切欠き１１５を形成にすれば、隣同士の切欠き１１５を嵌め合わせることができ、振動による基板１１ｆの揺れを防止することができる。
切欠き１１５同士を接着してもよい。
切欠き１１５は、基板１１ｆの片側だけに形成してもよい。
切欠き１１５は、基板１１ｆの長手方向の中央部になくてもよく、基板１１ｆが交差して接触干渉する部分にあればよい。
【００９５】
実施の形態５．
この実施の形態では、前述した実施の形態と異なる点について説明する。
図２０は、光源ユニット４０ｇを示す図であり、１枚の板金に６個の基板１１ｇを形成した場合を示している。
１枚の板金は、上下が反転した６個の台形形状の基板１１ｇを有する。
６個の基板１１ｇは、それぞれ発光素子１２を配置している。
図２０の（ａ）に示す基板を折り曲げると、図２０の（ｂ）に示す光源ユニット４０ｇとなる。
図２０の（ｂ）に示す光源ユニット４０ｇは、隣接した２枚の基板１１ｇのうち、一方の基板１１ｇは、一端部から他端部に向かって中心軸Ｊに対して近づくように配置される。
他方の基板１１ｇは、一端部から他端部に向かって中心軸Ｊに対して遠ざかるように配置される。
隣接した２枚の基板の第１面１１１の中心軸Ｊに対する傾斜角度は＋Ｘ度と−Ｘ度となる。
【００９６】
基板１１ｇの形状は、台形ではなく、三角形でもよい。
基板１１ｇは、４個以上の偶数個であればよい。
【００９７】
実施の形態６．
この実施の形態では、前述した実施の形態と異なる点について説明する。
図２１の（ａ）は、保持本体部２１ｈと光源ユニット４０ｈを説明する図である。
図２１の（ａ）に示すように、保持本体部２１ｈは、中心軸Ｊに対して傾斜角度が異なる基板差込部２１１を有する。
保持本体部２１ｈの外側にある基板差込部２１１は、表面から直交している凹部である。
保持本体部２１ｈの内側にある基板差込部２１１は、表面から直交していない凹部である。
図２１の（ａ）において、光源ユニット４０ｈの保持本体部２１ｈの外側にある基板１１は、中心軸Ｊに対して平行に基板差込部２１１に固定される。
図２１の（ａ）において、光源ユニット４０ｈの保持本体部２１ｈの内側にある基板１１は、中心軸Ｊに対して＋Ｘ度の傾斜角度で、基板差込部２１１に固定される。
【００９８】
このように、複数の基板１１の全てが傾いている必要はなく、中心軸Ｊと平行な基板１１が存在していてもよい。
特に、カバー端部３２１側の照度を向上させる必要がない場合には、中心軸Ｊと平行な基板１１と、カバー端部３２１（上端部１１４）に向かうにしたがって次第に中心軸Ｊから遠ざかる基板１１とを交互に配置すればよい。
逆に、口金３５側の照度を向上させる必要がない場合には、中心軸Ｊと平行な基板１１と、カバー端部３２１（上端部１１４）に向かうにしたがって次第に中心軸Ｊに近づく基板１１とを交互に配置すればよい。
あるいは、中心軸Ｊと平行な基板１１と、カバー端部３２１（上端部１１４）が中心軸Ｊに近づく基板１１と、カバー端部３２１（上端部１１４）が中心軸Ｊから遠ざかる基板１１との３種類の基板１１を順に配置してもよい。
【００９９】
図２１の（ｂ）は、保持本体部２１ｉと光源ユニット４０ｉを説明する図である。
図２１の（ｂ）に示すように、保持本体部２１ｉは、中心軸Ｊに対して傾斜角度が異なる基板差込部２１１を有する。
保持本体部２１ｉの外側にある基板差込部２１１と内側にある基板差込部２１１は、表面から直交していない凹部であるが、傾斜角度が異なる（角度θ２＜角度θ３）。
図２１の（ｂ）において、光源ユニット４０ｉの保持本体部２１ｉの外側にある基板１１の第１面１１１は、中心軸Ｊに対して−Ｘ１度の傾斜角度で基板差込部２１１に固定される。
図２１の（ｂ）において、光源ユニット４０ｉの保持本体部２１ｉの内側にある基板１１の第１面１１１は、中心軸Ｊに対して＋Ｘ度（Ｘ１＜Ｘ）の傾斜角度で、基板差込部２１１に固定される。
図示しないが、角度θ２＞角度θ３として、Ｘ１度＞Ｘ度としてもよい。
【０１００】
図２１の（ｃ）は、光源ユニット４０ｊを説明する図である。
図２１の（ｃ）に示すように、光源ユニット４０ｊの保持本体部２１の内側にある基板１１は、第１面１１１だけでなく、第２面１１２にも、発光素子１２を配置している。
図２１の（ｃ）に示すように、図の右側の基板１１の第２面１１２に配置する発光素子１２は、第２面１１２の長さ方向全体ではなく、図の左側の基板１１によって光がさえぎられることがない上端部分にあればよい。図では、右側の基板１１の第２面１１２の上端部１１４側の半分に発光素子１２を配置している。
第２面１１２に発光素子１２を配置すれば、矢印で示すカバー端部３２１（上端部１１４）方向の明るさが増加する。
【０１０１】
実施の形態７．
この実施の形態では、前述した実施の形態と異なる点について説明する。
図２２の光源ユニット４０ｋに示すように、基板１１の形状は、すべて同じである必要はなく、基板１１の形状は、個別に異なっていてもよい。
図２２の発光部１０ｋの基板１１ｋは、発光部１０ｍの基板１１よりも長さが短く、発光部１０ｋの基板１１ｋの長辺の長さは、発光部１０ｍの基板１１の長辺の長さの３分の２である。
このように、長辺の長さが長い基板１１ｍと短い基板１１ｋとを用いてもよい。
カバー端部３２１（上端部１１４）に向かうにしたがって次第に中心軸Ｊに近づく基板１１の長辺の長さを、半分又は半分以上３分の２以下にするのが望ましい。
図示しないが、カバー端部３２１（上端部１１４）に向かうにしたがって次第に中心軸Ｊから遠ざかる基板１１の長辺の長さを半分又は半分以上３分の２以下にするのが望ましい。
このように、長さの半分以上にしておけば、隣り合う基板の発光部が中心軸方向において重なり合うため、明るさのムラが生じにくい。
【０１０２】
また、図２２に示すように、発光部１０ｋの発光素子１２ｋの長さと発光部１０ｍの発光素子１２ｋの長さは、図１に示した発光素子１２の長さの半分又は半分以上３分の２以下にしてもよい。
基板の中心軸Ｊに近い面は、隣の基板の陰になり、光が隣の基板の第２面１１２で反射されてしまう可能性がある。しかし、発光素子の長さを短くして基板の中心軸Ｊに遠い面に発光素子を配置すれば、基板の中心軸Ｊに遠い面は隣の基板の陰にならないので、光が隣の基板の第２面１１２で反射される可能性が減少する。
【０１０３】
図示しないが、基板１１の形状は、中心軸Ｊに沿って長尺でなくてもよく、基板１１の形状は、正方形でもよいし、中心軸Ｊに沿って短尺でもよい。
【０１０４】
実施の形態８．
この実施の形態では、前述した実施の形態と異なる点について説明する。
この実施の形態では、隣り合う基板を中心軸Ｊに対して同じ方向に傾斜させる場合について説明する。
図２３の光源ユニット４０ｎの保持本体部２１ｎは、半径が同じ円の接線に全ての基板差込部２１１を配置している。
図２３に示すように、６枚の基板１１の下端部１１３をすべて半径が大きい円の接線に形成された基板差込部２１１に配置する。
図２３は、隣り合う基板差込部２１１の傾斜角度を変え、隣り合う基板の傾斜角度を変えて、６枚の基板１１の全ての上端部１１４を中心軸Ｊに近づけた場合を示している。
発光部１０ｎの基板１１ｎの傾斜角の絶対値は、発光部１０の基板１１の傾斜角の絶対値より小さい（Ｘ２度＜Ｘ３度）。
６枚の基板１１をすべて半径が同じ円の接線に配置しても、隣り合う基板の傾斜角度が異なるので、隣り合う基板同士が接触することはない。
また、発光部１０ｎの基板１１ｎの長さは、発光部１０の基板１１の長さより短く、発光素子１２ｎの長さも短いので、発光部１０の光が発光部１０ｎの基板１１ｎの第２面で反射されてしまうことはない。
図示しないが、６枚の基板１１の下端部１１３をすべて半径が小さい円の接線に配置して、隣り合う基板の傾斜角度を変えて、６枚の基板１１の上端部１１４を中心軸Ｊから遠ざけてもよい。
【０１０５】
実施の形態９．
この実施の形態では、前述した実施の形態と異なる点について説明する。
この実施の形態では、３６０度方向ではなく特定の方向に光を照射する光源ユニットについて説明する。
図２４の（ａ）に示す光源ユニット４０ｐは、図４に示した光源ユニット４０から、２個の発光部１０を取り去ったものであり、４個の発光部１０を保持本体部２１ｐに固定したものである。
このように、発光部１０を２４０度の範囲で配置してもよい。
図示しないが、図４に示した光源ユニット４０から、１個、３個、又は４個の発光部１０を取り去り、５個、３個、又は２個の発光部１０を保持本体部２１ｐに固定してもよい。
【０１０６】
図２４の（ｂ）に示す光源ユニット４０ｑは、図４に示した光源ユニット４０から、２個の発光部１０を取り去り、４個の発光部１０を２枚の保持本体部２１ｑで挟んで、２枚の保持本体部２１ｑを台座２９に固定したものである。
台座２９は平面板であり、光源ユニット４０ｐは、平面の筐体を有する照明器具に取り付けることができる。
図示しないが、ハーフパイプ状又はかまぼこ状のカバーを取り付けてもよい。
【０１０７】
実施の形態１０．
この実施の形態では、前述した実施の形態と異なる点について説明する。
図２５の（ａ）は、平面状の光源ユニット４０ｒを示す図である。
光源ユニット４０ｒは、図４に示した発光部１０を台座２９ｒに固定したものである。
台座２９は、水平に対して＋Ｘ度と−Ｘ度に傾斜した取り付け平面を有しており、発光部１０の基板１１は台座２９の底面に対して異なる角度で固定されている。
台座２９の底面は平面であり、光源ユニット４０ｒは、平面の筐体を有する照明器具に取り付けることができる。
【０１０８】
図２５の（ｂ）の発光部１０ｓは、基板１１を中央部１か所でくの字に折り曲げて、２個の平面の片面に発光素子１２を配置したものである。
図２５の（ｂ）は、隣り合う発光部１０ｓの第２面１１２を対向させて保持本体部２１ｓに固定する。
図２５の（ｂ）の保持本体部２１ｓは、隣り合う発光部１０ｓを、図面の奥行き方向に向かって直線状に配置している。
図示しないが、隣り合う発光部１０ｓを、図５に示す保持本体部２１の半径が異なる円の接線に配置してもよい。
図示しないが、隣り合う発光部１０ｓを、図２３に示す保持本体部２１ｎの半径が同じ円の接線に配置してもよい。
【０１０９】
図２５の（ｃ）の発光部１０ｔは、基板１１を中央部の２か所でくの字に折り曲げて、３個の平面の片面に発光素子１２を配置したものである。
【０１１０】
図２５の（ｄ）の発光部１０ｕは、基板１１を中央部の１か所で逆くの字に折り曲げて、２個の平面の片面に発光素子１２を配置したものである。
図２５の（ｄ）の保持本体部２１ｓは、隣り合う発光部１０ｓを、図面の奥行き方向に向かって直線状に配置している。
図２５の（ｄ）は、隣り合う発光部１０ｕはすべて同じ傾斜角度で保持本体部２１ｓに固定されている。
【０１１１】
図２５の（ｅ）の発光部１０ｖは、基板１１を中央部の１か所で逆くの字に折り曲げて、２個の平面の両面に発光素子１２を配置したものである。
図２５の（ｂ）から（ｅ）の場合、折り曲げた基板１１により形成された平面が個別の発光面となり、各発光面は、保持本体部２１ｓの表面に対して異なる角度で固定されている。
【０１１２】
実施の形態１１．
本実施の形態について、主に実施の形態１との差異を説明する。
【０１１３】
＜＜＜水平方向設置＞＞＞
図２６は、中心軸Ｊが略水平方向と沿う状態で照明ランプ１００が使用される道路用照明装置の例である。
【０１１４】
＊＊＊構成の説明＊＊＊
照明装置１０００は、実施の形態１で説明した照明ランプ１００が取り付けられた照明器具６００を有している。
照明器具６００は、道路灯器具であり、ソケット１０１０とランプカバー１０１１とを有している。
照明装置１０００は、地面に立てられた支柱１００１を有している。支柱１００１の下部から、商用交流電源１０２０に接続された導入線１００２が引き込まれている。
支柱１００１の下部には、点灯装置１００４を配置した電源配置部１００３がある。点灯装置１００４は、導入線１００２から入力した交流電源を直流電源に変換して支柱内電線１００５に出力する。支柱内電線１００５は、ソケット１０１０に接続されている。
【０１１５】
＜＜＜上向き設置＞＞＞
図２７は、口金３５を下方に向け中心軸Ｊが略鉛直方向と沿う状態で照明ランプ１００が使用される街路用照明装置の例である。
【０１１６】
＊＊＊構成の説明＊＊＊
照明装置１０００は、実施の形態１で説明した照明ランプ１００が取り付けられた照明器具６００を有している。
照明器具６００は、街路灯器具であり、ソケット１０１０とランプカバー１０１１とを有している。ソケット１０１０は、ソケット配置部１０１２に上向きに取り付けられている。
その他の構成は、図２６と同様なので、説明を省略する。
【０１１７】
＜＜＜下向き設置＞＞＞
図２８は、口金３５を上方に向け中心軸Ｊが略鉛直方向と沿う状態で照明ランプ１００が使用される高天井用照明装置の例である。
【０１１８】
＊＊＊構成の説明＊＊＊
照明装置１０００は、実施の形態１で説明した照明ランプ１００が取り付けられた照明器具６００を有している。
照明器具６００は、高天井器具であり、ソケット１０１０と笠１０１４とを有している。
ソケット１０１０は、ソケット配置部１０１２に下向きに取り付けられている。
照明器具６００は天井５０００から吊下部１０１３により支柱１００１を介して吊り下げられている。
【０１１９】
＊＊＊実施の形態の組み合わせ＊＊＊
前述した実施の形態のうち、２つ以上を組み合わせて実施しても構わない。
あるいは、これらの実施の形態のうち、１つを部分的に実施しても構わない。
あるいは、これらの実施の形態のうち、２つ以上を部分的に組み合わせて実施しても構わない。
【符号の説明】
【０１２０】
１００，１００ｂ，１００ｃ  照明ランプ、１０，１０ａ，１０ｄ，１０ｋ，１０ｍ，１０ｎ，１０ｓ，１０ｔ，１０ｕ，１０ｖ  発光部、１１，１１ｄ，１１ｅ，１１ｆ，１１ｇ，１１ｋ，１１ｍ，１１ｎ  基板、１１１  第１面、１１２  第２面、１１３  下端部、１１４  上端部、１１５  切欠き、１２，１２ａ，１２ｋ，１２ｎ  発光素子、２０，２０ｂ，２０ｃ  保持部、２１，２１ｃ，２１ｈ，２１ｉ，２１ｎ，２１ｐ，２１ｑ，２１ｓ  保持本体部、２１１，２１１ｃ  基板差込部、２１２  電線挿通孔、２２，２２ｃ  支持脚、２２１  電線挿通孔、２９，２９ｒ  台座、３０，３０ｂ  外郭部、３１，３１ｂ  カバー、３１１，３１１ｂ  カバー本体部、３１２  外周部、３１３  内周部、３１４  縮径部、３１５  開口端部、３１７  電線挿通孔、３２１  カバー端部、３２２  外球部、３２３  内球部、３３  連結部、３３１  連結本体部、３３２  固定部、３３３  連結基部、３３４  電線挿通孔、３４１  絶縁部、３４２  電線挿通孔、３５  口金、３５１  シェル部、３５２  アイレット部、４０，４０ｃ，４０ｇ，４０ｈ，４０ｉ，４０ｊ，４０ｋ，４０ｎ，４０ｐ，４０ｒ  光源ユニット、５１  配線材、６００  照明器具、１０００  照明装置、１０００  照明装置、１００１  支柱、１００２  導入線、１００３  電源配置部、１００４  点灯装置、１００５  支柱内電線、１０１０  ソケット、１０１１  ランプカバー、１０１２  ソケット配置部、１０１３  吊下部、１０１４  笠、１０２０  商用交流電源、５０００  天井、Ｊ，Ｈ，Ｇ  中心軸、Ｚ  照射方向。
【図１】
2019192523.tif 000003
【図２】
2019192523.tif 000004
【図３】
2019192523.tif 000005
【図４】
2019192523.tif 000006
【図５】
2019192523.tif 000007
【図６】
2019192523.tif 000008
【図７】
2019192523.tif 000009
【図８】
2019192523.tif 000010
【図９】
2019192523.tif 000011
【図１０】
2019192523.tif 000012
【図１１】
2019192523.tif 000013
【図１２】
2019192523.tif 000014
【図１３】
2019192523.tif 000015
【図１４】
2019192523.tif 000016
【図１５】
2019192523.tif 000017
【図１６】
2019192523.tif 000018
【図１７】
2019192523.tif 000019
【図１８】
2019192523.tif 000020
【図１９】
2019192523.tif 000021
【図２０】
2019192523.tif 000022
【図２１】
2019192523.tif 000023
【図２２】
2019192523.tif 000024
【図２３】
2019192523.tif 000025
【図２４】
2019192523.tif 000026
【図２５】
2019192523.tif 000027
【図２６】
2019192523.tif 000028
【図２７】
2019192523.tif 000029
【図２８】
2019192523.tif 000030